(57)【要約】      （修正有）【課題】間伐材の有効利用を図り、ヒノキやスギなどの天然木の表面外観を活かしかつ傷の付かない天板を提供する。【解決手段】基材２に天然木を使用した天板１であって、基材２の表面には略全面にわたり樹脂系シート３が脱気泡ロール圧着工程により貼り付けられている。樹脂系シート３は再生ペット樹脂から生成されたポリオレフィンシートを使用する。【選択図】図１
0003231552.tif 000002
【実用新案登録請求の範囲】
【請求項１】
基材に天然木を使用した天板であって、前記基材の表面には略全面にわたり樹脂系シートが脱気泡処理により貼り付けられたことを特徴とする天板。
【請求項２】
前記樹脂系シートは、ポリオレフィンシートであることを特徴とする請求項１記載の天板。
【請求項３】
前記ポリオレフィンシートは、再生ペット樹脂から生成されたものであることを特徴とする請求項２記載の天板。
【請求項４】
前記樹脂系シートは、２層で形成されていることを特徴とする請求項１又は２記載の天板。
【請求項５】
天板に使用される基材は、間伐材集成材であることを特徴とする請求項１記載の天板。
【請求項６】
請求項１記載の天板は、基材の表面に接着剤を塗布後に樹脂系シートを貼り合わせた状態で所定押圧を付与して所定時間実施する脱気泡ロール圧着工程により形成されたことを特徴とする天板。
【考案の詳細な説明】
【技術分野】
【０００１】  本考案は、机、テーブル又はカウンターなどに使用される木質系の天板に関する。
【背景技術】
【０００２】  従来、机、テーブル又はカウンターなどに使用されている基材が木質系の天板の表面は、銘木を貼り付けたものあるいは塗装、塗膜処理を行ったものが多く、また基材には外材や合板が多く用いられており、ヒノキやスギなどの国産の天然木を使用しているものは少ない（特許文献１、特許文献２参照）。【０００３】  特に、ヒノキやスギは間伐材として市場に多く出回っているが、主な用途は梱包材、パレット及びドラム等に過ぎず利用しきれていないのが現状である。また、これらの天然木の本来の特徴、すなわち、ヒノキにおいては、強力な殺菌・抗菌作用、炎症を鎮める優れた消炎効果、強い皮膚炎浸透作用、代謝を活発・正常化する細胞賦活作用、コラーゲン産生促進作用、メラニン生成抑制作用、及びサーチュイン（長寿）遺伝子活性化作用などがあり、一方スギにおいては、リラックス効果・うつ状態の改善、熟睡効果、及びアトピー性皮膚炎への効果など多数の優れた薬効があるにもかかわらずこれまで上記の天板など人間に身近な商品への利用があまりなされていない。
最近の事例で、スギの香りがする建材を部屋に使用したところ発達障害のある児童が落ち着いて過ごせていることが報告されているなど、人間に身近な場所でヒノキやスギの天然木を使用することで上記の様々な薬効がマルチシナジー的に発揮することが知られている。
【先行技術文献】
【特許文献】
【０００４】
【特許文献１】特開昭５２−２８９１７号  公報
【特許文献２】特開平５−２６９９２３号  公報
【考案の概要】
【考案が解決しようとする課題】
【０００５】  上述のように、ヒノキやスギは優れた薬効を持ち、また間伐材として市場に多く出回っているにもかかわらず身近な天板などへの使用が少ない主な理由は表面が柔らかく傷が付きやすいためである。
この課題を改善するためにこれまでは表面に塗装や塗膜処理を施したりあるいは薄膜透明シートを貼り付けたりしていたが、前者は天然木本来の美観を損たり、後者のシート貼り付けの場合は内部の気泡が表面に浮き出てくるなどの課題があった。
本考案は、上記課題を解決するため、天然木の表面外観を活かしかつ傷の付かない天板を提供すると共に間伐材の有効利用を図ることを目的とする。
【課題を解決するための手段】
【０００６】  本考案の天板は、基材に天然木を使用した天板であって、前記基材の表面には略全面にわたり樹脂系シートが脱気泡ロール圧着工程により貼り付け処理されたことを特徴とし、さらに前記樹脂系シートは、再生ペット樹脂から生成されたポリオレフィンシートであることを特徴としている。
【考案の効果】
【０００７】  本考案の天板を使用すれば、基材表面に気泡の浮き出て来ない脱気泡処理により貼り付けられた透明の樹脂系シートにより基材表面が保護されることにより基材に傷を付けることなく長年にわたり天然木の本来の特徴を活かした天板を使用することができる。また、基材にヒノキやスギの間伐材を使用することで間伐材の有効利用を促進することができ、さらに樹脂系シートに再生ペット樹脂から生成されたポリオレフィンシートを使用することで環境にやさしい取り組みに貢献することができる。
【図面の簡単な説明】
【０００８】
【図１】本考案に係る天板の外観図を示す。
【図２】図１のＡ−Ａ線要部拡大断面図を示す。
【図３】脱気泡ロール圧着処理を行う前の基材の要部拡大断面図を示す。
【考案を実施するための形態】
【０００９】  以下、本考案に係る天板の一実施例として学童用机に使用される場合の実施の形態について図１〜図３に基づいて説明する。
１は天板で、ヒノキ又はスギの天然木の集成材の基材２の表面に樹脂系シート３が貼り付けられた構成で、サイズは幅６００ｍｍ×奥行６５０ｍｍ×厚み２０ｍｍとしている。
樹脂系シート３は厚さ１ｍｍ程度のポリオレフィンシートが透明性に優れかつ経年変化が少ないために用いられるが、このポリオレフィンシートは請求項３に記載のように再生ペット樹脂から生成されたものを使用すれば環境にやさしい取り組みに貢献することができる。
【００１０】  樹脂系シート３の貼り付けは、基材の乾燥水分量が１０〜２０％以下となるように水分調整を行った後、請求項６に記載のように、基材の表面に接着剤を塗布後に樹脂系シートを貼り合わせた状態で所定押圧例えば３００ｋｇｆを付与して所定時間例えば４０分程度実施する脱気泡ロール圧着により行う。
この圧着処理前は図３に示すように基材の内部には気泡４が散在しているが、圧着処理後は内部の気泡４が導管５にほぼ消滅するため気泡４が基材表面に浮き出てくることがないので永年にわたり高品質を維持することができる。
【００１１】  なお、上記の樹脂系シート３の貼り付け工程は、基材２集成材に接着剤を塗布するスプレッター設備と基材２から出る気泡４を取り除く脱気泡ロール設備とを一体化することで効率的かつ効果的に高品質な天板１を作ることができる。
【００１２】  また、文字や絵柄を樹脂系シート３に描く場合は、請求項４に記載のように２層で形成したものを使用し、境界部に文字や絵柄を配置する。これにより文字や絵柄の劣化を防ぐと共に基材への汚れも防ぐことができる。
【００１３】  さらに、請求項５に記載のように基材にヒノキやスギの間伐材を使用することで間伐材の有効利用を促進することができる。
【００１４】  本考案の天板１は、ヒノキ又はスギなどの天然木の基材に脱気泡ロール圧着工程により基材の表面に樹脂系シート３を貼り付けるようにしているが、必要に応じて裏面にも樹脂系シート３を貼り付けてもよい。また、本考案は、天板に限らず、フローリングやクラスネームプレートなど天然木を使用する商品にも適用することができる。
なお、裏面にも樹脂系シート３を貼り付ける場合は、表裏両面に樹脂系シート３を貼り合わせて脱気泡ロール圧着処理を行う。
【符号の説明】
【００１５】１    天板
２    基材
３    樹脂系シート
４    気泡
５    導管
【図１】
0003231552.tif 000003
【図２】
0003231552.tif 000004
【図３】
0003231552.tif 000005